【事件の表示】
　特願２０１４−５０１７４８「ＬＥＤ光源」拒絶査定不服審判事件〔平成２４年１０月　４日国際公開、ＷＯ２０１２／１３１５３０、平成２６年　６月１９日国内公表、特表２０１４−５１４７５２〕について、次のとおり審決する。
【結　論】
　本件審判の請求は、成り立たない。
【理　由】
第１　手続の経緯・本願発明
　本願は、２０１２年３月１９日（パリ条約による優先権主張外国庁受理２０１１年３月３１日、欧州特許庁）を国際出願日とする出願であって、平成２７年１２月２５日付け（平成２８年１月５日発送）で拒絶理由が通知され、平成２８年４月４日に特許請求の範囲が補正され、同年８月２３日付けで拒絶査定がされ、これに対して、同年１１月１８日に拒絶査定不服審判が請求されたものであって、本願の請求項１ないし１４に係る発明は、平成２８年４月４日に補正された特許請求の範囲の請求項１ないし１４に記載された事項により特定されるものであるところ、その請求項１に係る発明（以下「本願発明」という。）は、次のとおりである。
　
　「周波数ｆを持つ低周波ＡＣ供給電圧を供給する供給電圧源との接続のための第１の入力端子及び第２の入力端子と、
　前記低周波ＡＣ供給電圧を整流するために前記入力端子に結合される整流器と、
　Ｎ個のＬＥＤ負荷を含む直列回路であって、前記直列回路の第１の端部及び第２の端部が、各々、前記整流器の第１の出力端子及び第２の出力端子に結合されている直列回路と、
　前記低周波ＡＣ供給電圧の瞬時振幅に依存して、前記振幅が増加するとき、後に、前記第１の端部に最も近い第１のＬＥＤ負荷から１つずつ前記ＬＥＤ負荷に電流を搬送させ、前記低周波ＡＣ供給電圧の瞬時振幅に依存して、前記振幅が減少するとき、後に、第Ｎ番目のＬＥＤ負荷から１つずつ前記ＬＥＤ負荷に電流の搬送を停止させるための制御手段とを有するＬＥＤ光源であって、
　前記第１のＬＥＤ負荷の順電圧が、他のＬＥＤ負荷のいずれの順電圧よりも少なくとも５０％高いＬＥＤ光源。」
　
第２　刊行物の記載
（１）原査定の拒絶の理由に引用された、本願の優先日前に頒布された特開２０１１−４０７０１号公報（２０１１年２月２４日公開。以下「引用文献」という。）には、図とともに、以下の記載がある（下線は、当審による。）。
　　
　ア　「【０００１】
　本発明は、発光ダイオードを点灯駆動させる駆動回路及び発光ダイオードの点灯制御方法に関し、特に交流電源を用いて駆動させる発光ダイオード駆動回路及び発光ダイオードの点灯制御方法に関する。
【背景技術】
【０００２】
　近年、照明用の光源として、白熱電球や蛍光灯に比べ低消費電力で駆動可能な発光ダイオード（以下「ＬＥＤ」ともいう。）が注目されている。ＬＥＤは小型で耐衝撃性にも強く、球切れの心配がないといった利点がある。
【０００３】
　このような照明機器用の電源としては、
家庭用電源など交流を電源として用いる
　
　イ　「【００２７】
　図１に、実施の形態に係る
発光ダイオード駆動装置
交流電源ＡＰに接続されて、交流電圧を整流した脈流電圧を得るための整流回路２と、複数のＬＥＤブロックで構成されたＬＥＤブロック群１と、電流制限手段３と、電流検出手段４とを、各々直列に接続している。ここではＬＥＤブロックを３つ使用しており、第一ＬＥＤブロック１１、第二ＬＥＤブロック１２、第三ＬＥＤブロック１３を直列に接続してＬＥＤブロック群１を構成している
【００２８】
　
また第二ＬＥＤブロック１２、第三ＬＥＤブロック１３、電流制限手段３には、各々両端に通電量を制限するための電流制御手段が接続される
　
　ウ　「【００９１】
　さらに、
実施例６に係る発光ダイオード駆動装置６００を、図１９に示す
入力電圧が所定のコンデンサ放電開始電圧に降下するまで放電を開始しない平滑化回路５０を備えている
【００９２】
　上記の動作を、
図１６に示す回路構成と比較しながら説明する。図１６の回路における、コンデンサで平滑化された入力電圧波形を図１７に示す
図１６のような多段構成のＬＥＤブロックを常時点灯するには、すなわち入力電圧が低い領域でも第一ＬＥＤブロック１１を消灯させないようにするには、ＬＥＤを点灯させる最低の電圧、すなわち順方向電圧が最も低いＬＥＤブロックの最低順方向電圧（図１６の回路例では第一ＬＥＤブロック１１が該当し、８０Ｖに設定されている）を入力電圧が下回らないよう、平滑コンデンサ７３で８０Ｖ以上の電圧に維持する必要がある。これによって、ＬＥＤブロックの点灯による光束の波形は、図１８のようになる（消費電力９．５Ｗ、光束７６８ｌｍ、波高率１．１７、力率５８％
【００９３】
　これに対して
図１９に示すような平滑化回路５０を整流回路２の出力側に追加する
【００９４】
　……
【００９７】
　……。
図１９の回路例では、
入力電圧が第一ＬＥＤブロックの点灯に必要な電圧（８０Ｖ）
またこれによって得られるＬＥＤの光束波形は図２１のようになり、一部電圧が８０Ｖを下回る領域が生じているものの（図２１中、谷間の部分）、ごく短期間であり視認上はストロボ現象が解消されていることが確認できた
波高率１．２３
（照明装置）
【００９８】
　
以上のような発光ダイオード駆動装置は、ＬＥＤ素子を備えているため、ＬＥＤ素子とその駆動回路を同一の配線基板に配置することで、家庭用交流電源を投入して点灯可能な照明装置や照明器具として利用できる
　　
　エ　図１は、以下のものである。
　図１
                        　
　オ　実施例６と対比して説明される、多段構成のＬＥＤブロックを
常時点灯
　
　図１６
　  　
　
　図１７
　     　
　図１８
　
　カ　実施例６の回路図、入力電圧波形及び光束の時間変化に関する図面（図１９ないし図２１）は、以下のものである。
　
　図１９　
　　　
　図２０
　     　
　図２１
　  　　
（２）引用文献に記載された発明
　ア　上記（１）アないしウを踏まえれば、引用文献の実施例６に関する図１９には、
　「家庭用電源などの交流電源ＡＰに接続される、
　交流電圧を整流した脈流電圧を得るための整流回路２と、
　第一ＬＥＤブロック１１、第二ＬＥＤブロック１２及び第三ＬＥＤブロック１３と、
　電流制限手段３（３Ａ）と、
　電流検出手段４（４Ｂ、４Ｃ、４Ｄ）とを、各々直列に接続し、
　第二ＬＥＤブロック１２、第三ＬＥＤブロック１３及び電流制限手段（３Ａ）には、各々両端に通電量を制限するための電流制御手段が接続され、
　さらに、整流回路２の出力側に入力電圧が所定のコンデンサ放電開始電圧に降下するまで放電を開始しない平滑化回路５０を備えた、発光ダイオード駆動装置６００。」
が記載されているものと認められる。
　  　
　イ　実施例６に関する図２０及び図２１における破線は、交流電源ＡＰの交流電圧を整流回路２により整流した脈流電圧と認められ、図によれば整流前の周期は２０ｍｓ（１／５０秒）であるから、整流前の交流電源ＡＰの周波数は、５０Ｈｚと認められる。
　
　ウ　図１７の「入力電圧波形」は、常時点灯、つまり、ストロボ現象を回避したものであって、図２０の「入力電圧波形」のように、８０Ｖを下回る領域のないことが見てとれる。
　　
　そして、図１９の実施例６の回路例では、入力電圧が第一ＬＥＤブロックの点灯に必要な８０Ｖを下回る領域が生じているものの、ごく短期間であり視認上はストロボ現象が解消されており、
　図２０及び図２１によれば、発光ダイオード駆動装置６００の光束は、入力電圧が第一ＬＥＤブロックの点灯に必要な電圧である８０Ｖを下回る領域（谷間の部分）においては、４００ｌｍより小さいが、
　電圧が増加するにつれて、８０Ｖを超えると約５００ｌｍとなり、約１００Ｖを超えると約７００ｌｍとなり、約１２０Ｖを超えると約９００ｌｍとなり、
　電圧が減少するにつれて、約１２０Ｖより低下すると約７００ｌｍとなり、約１００Ｖより低下すると約５００ｌｍとなることが理解できる。
　
　エ　上記（１）ウ【００９８】の記載によれば、
　上記アの「発光ダイオード駆動装置」は、「照明装置」として利用できることが理解できる。
　
　オ　以上によれば、引用文献には、図１９に示される実施例６として、
　「周波数が５０Ｈｚの交流電源に接続される、
　交流電圧を整流した脈流電圧を得るための整流回路と、
　第一ＬＥＤブロック、第二ＬＥＤブロック及び第三ＬＥＤブロックと、
　電流制限手段と、
　電流検出手段とを、各々直列に接続し、
　第二ＬＥＤブロック、第三ＬＥＤブロック及び電流制限手段には、各々両端に通電量を制限するための電流制御手段が接続され、
　さらに、整流回路の出力側に入力電圧が所定のコンデンサ放電開始電圧に降下するまで放電を開始しない平滑化回路を備えた、照明装置として利用できる発光ダイオード駆動装置であって、
　入力電圧が第一ＬＥＤブロックの点灯に必要な８０Ｖを下回る領域が生じているものの、ごく短期間であり視認上はストロボ現象が解消されており、
　その光束は、入力電圧が第一ＬＥＤブロックの点灯に必要な電圧である８０Ｖを下回る領域においては、４００ｌｍより小さいが、
　電圧が増加するにつれて、８０Ｖを超えると約５００ｌｍとなり、約１００Ｖを超えると約７００ｌｍとなり、約１２０Ｖを超えると約９００ｌｍとなり、
　電圧が減少するにつれて、約１２０Ｖより低下すると約７００ｌｍとなり、約１００Ｖより低下すると約５００ｌｍとなる、照明装置として利用できる発光ダイオード駆動装置。」（以下「引用発明」という。）が記載されているものと認められる。　    
　　                                                         
第３　対比・判断
（１）本願発明と引用発明を対比する。
　ア　引用発明の「照明装置として利用できる発光ダイオード駆動装置」も本願発明と同様に「ＬＥＤ光源」といえ、引用発明の「周波数が５０Ｈｚの交流電源」が本願発明の「周波数ｆを持つ低周波ＡＣ供給電圧を供給する供給電圧源」に相当するところであり、引用発明は、本願発明と同様に「周波数ｆを持つ低周波ＡＣ供給電圧を供給する供給電圧源との接続のための第１の入力端子及び第２の入力端子」を有する「ＬＥＤ光源」といえる。  　
　　　　
　イ　引用発明の「整流回路」は、本願発明の「前記低周波ＡＣ供給電圧を整流するために前記入力端子に結合される整流器」に相当する。　
　
　ウ　引用発明の「ＬＥＤブロック」が本願発明の「ＬＥＤ負荷」に相当し、その数「Ｎ」は「３」であり、引用発明は、「整流回路と、第一ＬＥＤブロック、第二ＬＥＤブロック及び第三ＬＥＤブロックと、電流制限手段と、電流検出手段とを、各々直列に接続」するものであるから、引用発明の「第一ＬＥＤブロック、第二ＬＥＤブロック及び第三ＬＥＤブロックと、電流制限手段と、電流検出手段」は、本願発明の「Ｎ個のＬＥＤ負荷を含む直列回路であって、前記直列回路の第１の端部及び第２の端部が、各々、前記整流器の第１の出力端子及び第２の出力端子に結合されている直列回路」に相当する。           　
　
　エ　本願発明の「前記低周波ＡＣ供給電圧の瞬時振幅に依存して、前記振幅が増加するとき、……電流を搬送させ、前記低周波ＡＣ供給電圧の瞬時振幅に依存して、前記振幅が減少するとき、……電流の搬送を停止させる」の意味について検討する。　
　
（ア）本願明細書には、以下の記載がある。
　ａ　「【発明を実施するための形態】
【００２５】
　……動作中、整流器の出力端子間には、整流された電源電圧が存在する。
整流された電源電圧の振幅が増加する場合
整流された電源電流の振幅が減少する場合
　　
　ｂ　「【００３２】
　図１乃至図４に示されている実施例の各々において、スイッチSは、
整流された電源電圧が比較的高い瞬時振幅を持つときに
　
　ｃ　図１ａは、以下のものである。
　　
（イ）上記アの記載からして、
　「前記低周波ＡＣ供給電圧の瞬時振幅に依存して、前記振幅が増加するとき、……電流を搬送させ、前記低周波ＡＣ供給電圧の瞬時振幅に依存して、前記振幅が減少するとき、……電流の搬送を停止させる」とは、
　「整流された電源電圧の振幅が増加するとき、……電流を搬送させ、整流された電源電流の振幅が減少するとき、……電流の搬送を停止させる」ことを意味するものと認められる。
   　
（ウ）一方、引用発明の「整流回路の脈流電圧」の振幅も、「周波数が５０Ｈｚの交流電源」の供給電圧の瞬時振幅に依存して、増加又は減少するものであるところ、
　引用発明においては、「入力電圧が第一ＬＥＤブロックの点灯に必要な電圧である８０Ｖを下回る領域においては、４００ｌｍより小さいが、
　電圧が増加するにつれて、８０Ｖを超えると約５００ｌｍとなり、約１００Ｖを超えると約７００ｌｍとなり、約１２０Ｖを超えると約９００ｌｍ」となるから、
　引用発明の「電流制御手段」は、「周波数が５０Ｈｚの交流電源」の供給電圧の瞬時振幅に依存して、整流回路の脈流電圧の振幅が増加するときに、
　電圧が８０Ｖを超えると、第一ＬＥＤブロックを通電し、
　電圧が約１００Ｖを超えると、第一及び第二ＬＥＤブロックを通電し、
　電圧が約１２０Ｖを超えると第一ないし第三ＬＥＤブロックを通電するものであると認められる。
　  　
　また、引用発明においては、「電圧が減少するにつれて、約１２０Ｖより低下すると約７００ｌｍとなり、約１００Ｖより低下すると約５００ｌｍとな」り、「入力電圧が第一ＬＥＤブロックの点灯に必要な電圧である８０Ｖを下回る領域においては、４００ｌｍより小さい」ことから、
　引用発明の「電流制御手段」は、「周波数が５０Ｈｚの交流電源」の供給電圧の瞬時振幅に依存して、整流回路の脈流電圧の振幅が減少するときに、
　電圧が約１２０Ｖより低下すると、第三ＬＥＤブロックの通電を停止し、　電圧が約１００Ｖより低下すると第三及び第二ＬＥＤブロックの通電を停止するものであると認められる。
　  　
（エ）そして、引用発明の「第一ＬＥＤブロック」及び「第三ＬＥＤブロック」が本願発明の「第１の端部に最も近い第１のＬＥＤ負荷」及び「第Ｎ番目のＬＥＤ負荷」にそれぞれ相当するところであり、引用発明は、本願発明と同様に「前記低周波ＡＣ供給電圧の瞬時振幅に依存して、前記振幅が増加するとき、後に、前記第１の端部に最も近い第１のＬＥＤ負荷から１つずつ前記ＬＥＤ負荷に電流を搬送させ、前記低周波ＡＣ供給電圧の瞬時振幅に依存して、前記振幅が減少するとき、後に、第Ｎ番目のＬＥＤ負荷から１つずつ前記ＬＥＤ負荷に電流の搬送を停止させるための制御手段とを有する」ものといえる。　
    　　 　　　　  　
　オ（ア）引用発明において、
　「第一ＬＥＤブロックの点灯に必要な電圧」は「８０Ｖ」、
　「第一ＬＥＤブロック」と「第二ＬＥＤブロック」の直列接続の点灯に必要な電圧は「約１００Ｖ」、
　「第一ＬＥＤブロック」と「第二ＬＥＤブロック」と「第三ＬＥＤブロック」の直列接続の点灯に必要な電圧は「約１２０Ｖ」と認められるところ、
　「第一ＬＥＤブロックの点灯に必要な電圧」が「８０Ｖ」であるから、「第二ＬＥＤブロック」及び「第三ＬＥＤブロック」の点灯に必要な電圧は、それぞれ、約２０Ｖと認められる。
　
（イ）したがって、引用発明において、「第一ＬＥＤブロックの点灯に必要な電圧」、すなわち、本願発明でいう「第１のＬＥＤ負荷の順電圧」は８０Ｖであり、「第二ＬＥＤブロック」及び「第三ＬＥＤブロック」の本願発明でいう「順電圧」は、それぞれ、約２０Ｖであるから、引用発明は、本願発明と同様に「前記第１のＬＥＤ負荷の順電圧が、他のＬＥＤ負荷のいずれの順電圧よりも少なくとも５０％高いＬＥＤ光源」といえる。  　
　　
　カ　以上のとおりであって、本願発明と引用発明に格別の相違点は認められない。
　
第４　むすび
　本願発明は、引用文献に記載された発明であると認められ、特許法第２９条第１項第３号の発明に該当し、特許を受けることができない。
　他の請求項について検討するまでもなく、本願は拒絶すべきものである。
　よって、結論のとおり審決する。